(57)【要約】【課題】表示部のコントラスト調整機能を有する電子機器において、ユーザが楽にコントラスト調整を行えるようにすることにある。【解決手段】電子機器１は、表示部１１と、コントラスト調整部３と、操作部１３と、表示制御部５１とを備えている。コントラスト調整部３は、表示部１１に表示される画像を視認可能な輝度範囲ａ〜ｃ内でコントラスト調整を行うためのユーザ調整部４１を有する。操作部１３は、ユーザによって操作され、コントラスト調整部３によるコントラスト調整を行うためのものである。表示制御部５１は、コントラスト調整部３で調整されたコントラストに基づいて表示部１１の表示動作を制御する。【選択図】図２
2010128088.tif 000002
【特許請求の範囲】
【請求項１】
表示部と、
前記表示部に表示される画像を視認可能な輝度範囲内でコントラスト調整を行うためのユーザ調整部を有するコントラスト調整部と、
ユーザによって操作され、前記コントラスト調整部によるコントラスト調整を行うための操作部と、
前記コントラスト調整部で調整されたコントラストに基づいて前記表示部の表示動作を制御する表示制御部と、
を備えた電子機器。
【請求項２】
前記ユーザ調整部は、前記表示部に表示される画像を視認可能な輝度範囲を複数の輝度範囲に分けたうちのいずれか１つにおいてコントラスト調整を行い、
前記表示制御部は、前記複数の輝度範囲のうちいずれにおいてコントラスト調整を行うかをユーザに選択させるための操作画面を前記表示部に表示させる、
請求項１に記載の電子機器。
【請求項３】
前記コントラスト調整部は、全ての輝度範囲にわたりコントラスト調整を行うデフォルト調整部をさらに有し、
前記表示制御部は、前記ユーザ調整部及びデフォルト調整部のいずれかを選択可能な操作画面を前記表示部に表示させる、
請求項１又は２に記載の電子機器。
【請求項４】
前記デフォルト調整部は、前記操作部での操作量に応じて可変な第１可変抵抗を有する回路で構成され、
前記ユーザ調整部は、前記操作部での操作量に応じて可変でありかつ前記第１可変抵抗が採りうる抵抗範囲より小さい抵抗範囲を有する第２可変抵抗を有する回路で構成され、
前記コントラスト調整部は、前記操作画面に対してされた選択に応じて前記デフォルト調整部と前記ユーザ調整部を切り替える、
請求項３に記載の電子機器。
【請求項５】
シート状記録媒体に画像形成を行う画像形成部をさらに備え、
前記表示制御部は、前記画像形成部により行われる画像形成に関する情報を前記表示部に表示させる、
請求項１から４のいずれか１つに記載の電子機器。
【発明の詳細な説明】
【技術分野】
【０００１】
本発明は、電子機器、特に、表示部のコントラスト調整機能を有する電子機器に関する。
【背景技術】
【０００２】
複合機、プリンタ等の電子機器は、通常、ユーザに種々の情報を知らせるための表示部を備えており、近年は、液晶ディスプレイで構成されたものが多く製造されている。このような電子機器は、一般に、表示部に表示される文字等のコントラストをユーザが調整でき、例えば、モノクロの液晶ディスプレイで構成された表示部を備えた電子機器では、ユーザが、最も明るい白画面と最も暗い青画面との間で最適なコントラストに調整できるようになっている。この種の電子機器として、液晶ディプレイの近傍に連動するボリュームつまみが設けられるとともに、ボリュームつまみと連動する可変抵抗を有するコントラスト調整用回路を備えたものが知られている。この電子機器では、液晶ディスプレイに供給される電圧は、ユーザがボリュームつまみを回すことによりコントラスト調整回路によって変化し、白画面では最も電圧が高く、青画面では最も電圧が低くなる。ユーザは、表示部に表示される文字等を見ながら、白画面と青画面との間で最適と感じたコントラストに調整する。
【０００３】
関連する技術として、例えば、特許文献１に示すものが既に提案されている。
【特許文献１】特開２００５−１５３３０９号公報
【発明の開示】
【発明が解決しようとする課題】
【０００４】
上記従来の電子機器においてコントラスト調整を行う際は、ユーザは、表示部の表示態様を見ながら、白画面と青画面の間の広範囲にわたる電圧範囲について調整しなければならない。このため、ユーザによっては、このような作業を非常に面倒に感じたり、最適なコントラストに合わせる作業を難しく感じたりする。
【０００５】
本発明の目的は、表示部のコントラスト調整機能を有する電子機器において、ユーザが楽にコントラスト調整を行えるようにすることにある。
【課題を解決するための手段】
【０００６】
発明１に係る電子機器は、表示部と、コントラスト調整部と、操作部と、表示制御部とを備えている。コントラスト調整部は、表示部に表示される画像を視認可能な輝度範囲内でコントラスト調整を行うためのユーザ調整部を有する。操作部は、ユーザによって操作され、コントラスト調整部によるコントラスト調整を行うためのものである。表示制御部は、コントラスト調整部で調整されたコントラストに基づいて表示部の表示動作を制御する。
【０００７】
この装置では、ユーザ調整部を介して、表示部に表示される画像をユーザが視認可能な輝度範囲に限ってコントラスト調整を行うことができるので、全ての輝度範囲にわたり調整する場合に比べ、ユーザの負担が軽減され、最適なコントラストへの調整が楽に行える。
【０００８】
発明２に係る電子機器は、発明１の電子機器において、ユーザ調整部は、表示部に表示される画像を視認可能な輝度範囲を複数の輝度範囲に分けたうちのいずれか１つにおいてコントラスト調整を行う。また、表示制御部は、複数の輝度範囲のうちいずれにおいてコントラスト調整を行うかをユーザに選択させるための操作画面を表示部に表示させる。
【０００９】
この電子機器では、コントラスト調整が行われる範囲を、ユーザに選択されたより狭い範囲に限定して行うことができるので、ユーザはより楽にコントラスト調整の作業を行うことができる。
【００１０】
発明３に係る電子機器は、発明１又は２の電子機器において、コントラスト調整部は、全ての輝度範囲にわたりコントラスト調整を行うデフォルト調整部をさらに有している。また、表示制御部は、ユーザ調整部及びデフォルト調整部のいずれかを選択可能な操作画面を表示部に表示させる。
【００１１】
この電子機器では、ユーザは、デフォルト調整部により全ての輝度範囲にわたりコントラスト調整をすることも選択でき、ユーザの選択の幅が広くなっている。
【００１２】
発明４に係る電子機器は、発明３の電子機器において、デフォルト調整部は、操作部での操作量に応じて可変な第１可変抵抗を有する回路で構成されている。また、ユーザ調整部は、操作部での操作量に応じて可変でありかつ第１可変抵抗が採りうる抵抗範囲より小さい抵抗範囲を有する第２可変抵抗を有する回路で構成されている。さらに、コントラスト調整部は、操作画面に対してされた選択に応じてデフォルト調整部とユーザ調整部を切り替える。
【００１３】
発明５に係る電子機器は、発明１から４のいずれか１つの電子機器において、シート状記録媒体に画像形成を行う画像形成部をさらに備えている。また、表示制御部は、画像形成部により行われる画像形成に関する情報を表示部に表示させる。
【発明の効果】
【００１４】
本発明によれば、ユーザ調整部を介して、表示部に表示される画像をユーザが視認可能な輝度範囲に限ってコントラスト調整を行うことができるので、全ての輝度範囲にわたり調整する場合に比べ、ユーザの負担が軽減され、最適なコントラストへの調整が楽に行える。
【発明を実施するための最良の形態】
【００１５】
図１に、本発明の一実施形態が採用された複合機（電子機器）１の機能ブロック図を示す。
【００１６】
複合機１は、複写機、プリンタ、ファクシミリ装置及びスキャナ装置としての機能を併せ持つとともに、操作パネル２と、コントラスト調整回路（コントラスト調整部）３と、制御部４と、エンジン部５とを備えている。
【００１７】
＜操作パネル＞
操作パネル２は、複合機１の筐体（図示せず）に設けられた表示部１１と、表示部１１の近傍に配置された複数のハードキー１２と、ボリュームつまみ（操作部）１３とを有する。
【００１８】
表示部１１は、液晶ディスプレイと、液晶ディスプレイ表面に配置されたタッチパネル（共に図示せず）とから構成される。液晶ディスプレイは、表示パネルと、表示パネルを装置内側から照らすバックライトとを有している。表示パネルとしては、本実施形態では、モノクロで表示するものが用いられ、最も明るい場合には白みが最大に増した白画面が表れ、最も暗い場合には青みが最大に増した青画面が表れる。液晶ディスプレイには、印刷条件を設定するための画面など種々の操作画面が表示され、これら操作画面上に表れる操作キー等をタッチパネルを介して触れることにより、印刷条件の設定等を行うことができる。
【００１９】
表示部１１に表示される操作画面として、図２及び図３に示す、後述するユーザ調整モードによりコントラスト補正を行うための操作画面２１，２２がある。図２に示す操作画面２１は、ユーザ調整モードによりコントラスト調整を行う際に、どの輝度範囲でコントラスト調整を行うかをユーザに選択させるための画面である。操作画面２１は、通常の印刷待機時に表示される基本画面（図示せず）に表示されるコントラスト調整設定ボタンが操作されると表示される。なお、コントラスト調整設定ボタンは、基本画面や他の操作画面から所定のボタン操作を経て表示されても良い。図２の画面２１には、下記文字視認可能範囲においてそれぞれ輝度範囲の異なる３つの選択ボタン３１，３２，３３が表示され、ユーザはいずれかを押下して選択できる。
【００２０】
文字視認可能範囲とは、液晶ディスプレイの全ての輝度範囲のうち、ユーザが表示部１１に表示された文字情報を視認できる輝度範囲をいい、例えば、無作為に抽出された不特定多数のユーザのうち所定割合以上のユーザが無理なく文字を認識できると感じる輝度範囲が採用される。文字視認可能範囲は、このように決定されるに限らず、例えば、全ての輝度範囲についての電圧差（後述する電圧差Ｖ１）を３等分したうちの中央の領域と決定してもよいし、複合機１の製造時において、種々のデータ等に基づいて決定されてもよい。
【００２１】
ここで、選択ボタン３１〜３３によって選択される３つの輝度範囲について、図４を参照して説明する。各輝度範囲は、液晶ディスプレイの駆動電圧（以下、ＬＣＤ駆動電圧）に対応して設定されており、図４において、後述するデフォルト調整モードでは、ユーザは、表示部１１のバックライトが最も明るく点灯するＬＣＤ駆動電圧Ｖ１ｍａｘと、最も暗く点灯するＬＣＤ駆動電圧Ｖ１ｍｉｎとの間の電圧差Ｖ１の範囲で調整することができる。一方、ユーザ調整モードでは、ユーザは、表示部１１に表示される文字が視認可能な範囲で最も明るく点灯するＬＣＤ駆動電圧Ｖ２ｍａｘと最も暗く点灯するＬＣＤ駆動電圧Ｖ２ｍｉｎとの電圧差Ｖ２の範囲で調整することができる。このＶ２は、さらに、文字視認可能範囲のうち明るめな領域ａ：Ｖ２−２からＶ２ｍａｘの電圧差Ｖｃの範囲、文字視認可能範囲のうち標準的な明るさの領域ｂ：Ｖ２−１からＶ２−２の電圧差Ｖｂの範囲、文字視認可能領域で暗めな領域のｃ：Ｖ２−１からＶ２ｍｉｎの電圧差Ｖａの範囲の３領域に分割されている。ユーザは、それぞれ図２の選択ボタン３３、３２，３１を操作することで、これら各領域においてコントラスト調整を行うことができる。領域ａより暗い範囲（青画面に向かう範囲）及び領域ｃより明るい範囲（白画面に向かう範囲）は、文字視認可能領域から除外される。なお、この領域は、３等分されていてもよく、そうでなくてもよい。また、３分割に限定されず、他の数だけ分割されてもよい。
【００２２】
図３の画面２２は、図２の画面２１で選択ボタン３１が選択されると表示され、選択された輝度範囲においてコントラスト調整することができる。後述するボリュームつまみ１３を回すことで、画面２２の黒丸で示す部分（図４のＶａ−Ｃに相当）が左右に移動し、ユーザは調整具合を視覚的に確認することができる。なお、図２の画面で選択ボタン３２，３３が選択された場合は、それぞれ図４のＶｂ−Ｃ，Ｖｃ−Ｃを調整することになる。
【００２３】
また、図３の画面２２が表示された状態で、ボリュームつまみ１３が操作されると、図示しないリセットボタンが表示され、ユーザがこれを操作することでデフォルト調整モードに戻るようになっている。
【００２４】
ハードキー１２は、コピー開始の指示等を行うスタートキー、テンキー、クリアキー等公知のキー群（いずれも図示せず）で構成される。
【００２５】
ボリュームつまみ１３は、複合機１の筐体の表示部１１に向かって左側方の部位に表示部１１とほぼ同じ高さ位置に設けられ、ユーザはこれを回動させることでコントラスト調整を行うことができる。なお、ボリュームつまみ１３としては、公知のものが採用され、設けられる位置は特に上記の部位に限定されない。また、他の実施形態では、回転式のボリュームつまみに代えて、スライド式のスライドバーなど他の操作態様のものが採用されてもよい。
【００２６】
＜コントラスト調整回路＞
コントラスト調整回路３は、操作パネル２及び制御部４に接続され、具体的に、図５に示すよう構成されている。この回路３は、デフォルト調整モードで作動するデフォルト調整回路（デフォルト調整部）４２と、ユーザ調整モードで作動するユーザ調整回路（ユーザ調整部）４１と、これら両回路４２，４１を切り替えるためのスイッチＳＷ１と、両モードで共に用いられる抵抗Ｒ１とを有している。
【００２７】
スイッチＳＷ１は、電源からの供給電圧ＶＤＤが供給されるとともに、２つの端子Ｔ１、Ｔ２に選択的に接続される。
【００２８】
デフォルト調整回路４２は、端子Ｔ１から抵抗Ｒ１にかけて延びるラインＬ１と、ラインＬ１上に配された可変抵抗（第１可変抵抗）ＶＲ１とを有している。可変抵抗ＶＲ１は、ここでは０〜１５０Ωの抵抗値をとり得る。
【００２９】
ユーザ調整回路４１は、端子Ｔ２から抵抗Ｒ１にかけて延びるラインＬ２と、ラインＬ２上に配された可変抵抗（第２可変抵抗）ＶＲ２とを有している。可変抵抗ＶＲ２は、ここでは０〜５０Ωの抵抗値をとり得る。なお、可変抵抗ＶＲ１及びＶＲ２のとり得る抵抗の範囲は、可変抵抗ＶＲ２のとり得る抵抗の範囲が可変抵抗ＶＲ１のとり得る抵抗の範囲より小さければ良く、特にここで説明する範囲に限定されない。ラインＬ２は、端子Ｔ２と可変抵抗ＶＲ２の間で２つのラインＬ３，Ｌ４に分岐している。ラインＬ３，Ｌ４上にはそれぞれスイッチＳＷ２，ＳＷ３が配されている。スイッチＳＷ２は、端子Ｔ３，Ｔ４に選択的に接続され、スイッチＳＷ３は、端子Ｔ５に対し、選択的に接続及び開放される。ラインＬ３は、端子Ｔ３から可変抵抗ＶＲ２にかけて延びるラインＬ５と、端子Ｔ４から可変抵抗ＶＲ２にかけて延びるラインＬ６とにさらに分岐している。ラインＬ５，Ｌ６上にはそれぞれ、抵抗Ｒ２，Ｒ３が配されている。ラインＬ４上には抵抗Ｒ４が配されている。なお、抵抗Ｒ２，Ｒ３，Ｒ４の抵抗は、ここでは、それぞれ０Ω、１００Ω、１００Ωである。
【００３０】
抵抗Ｒ１は、複合機１内部のシャーシに接地されている。抵抗Ｒ１は、可変抵抗ＶＲ１の抵抗値より大きいものが好ましく用いられるが、特定の抵抗値に限定されない。
【００３１】
以上のように構成されたコントラスト調整回路３は、次のように動作する。
【００３２】
デフォルト調整モードでは、スイッチＳＷ１は、端子Ｔ１に接続され、これら以外の場合は端子Ｔ２に接続される。
【００３３】
スイッチＳＷ１が端子Ｔ１に接続されている場合は、デフォルト調整による粗い調整を行う設定となる。この場合のＬＣＤ駆動電圧Ｖは、Ｖ＝Ｒ１／（ＶＲ１＋ＶＲ２）×ＶＤＤで表される。なお、ここで説明する数式中の英数字は、各英数字を参照符号とする各電子部品の電気特性（抵抗値、電圧値等）を示す。
【００３４】
一方、スイッチＳＷ２が端子Ｔ２に接続されている場合は、ユーザ調整モードによる細かい調整を行う設定となる。この場合、上述の画面２１で操作される選択ボタン３１〜３３のいずれかが選択されることで、下記（１）乃至（３）の３パターンの回路構成をとり得る。
（１）選択ボタン３１が選択された場合：スイッチＳＷ２が端子Ｔ３に接続。スイッチＳＷ３が開放。
（２）選択ボタン３２が選択された場合：スイッチＳＷ２が端子Ｔ４に接続。スイッチＳＷ３が端子Ｔ５に接続。
（３）選択ボタン３３が選択された場合：スイッチＳＷ２が端子Ｔ４に接続。スイッチＳＷ３が開放。
【００３５】
（１）の場合のＬＣＤ駆動電圧Ｖは、Ｖ＝Ｒ１／（ＶＲ２＋Ｒ１）×ＶＤＤで表される。ＶＲ２は、０〜５０Ωの範囲で可変であるため、０〜５０Ωの範囲でＬＣＤ駆動電圧Ｖが設定される。
【００３６】
（２）の場合のＬＣＤ駆動電圧Ｖは、Ｖ＝Ｒ１／［（５０＋ＶＲ２）＋Ｒ１］×ＶＤＤで表される。ＶＲ２は、０〜５０Ωの範囲で可変であるため、５０〜１００Ωの範囲でＬＣＤ駆動電圧Ｖが設定される。
【００３７】
（３）の場合のＬＣＤ駆動電圧Ｖは、Ｖ＝Ｒ１／［（１００＋ＶＲ２）＋Ｒ１］×ＶＤＤで表される。ＶＲ２は、０〜５０Ωの範囲で可変であるため、１００〜１５０Ωの範囲でＬＣＤ駆動電圧Ｖが設定される。
【００３８】
＜制御部＞
制御部４は、操作パネル２、コントラスト調整回路３、エンジン部５に接続され、複合機１全体に関する制御を司る。制御部４は、ＣＰＵ、ＲＡＭ及びＲＯＭを有し、ＣＰＵがＲＯＭあるいは図示しないハードディスク等の記憶装置に格納されたプログラム及びデータをＲＡＭ上に読み出して実行して、各部２，３，５等の制御や、操作パネル２及びコントラスト調整回路３と協調してコントラスト調整を行う。制御部４は、コントラスト調整によって決定されたＬＣＤ駆動電圧によって、表示部１１のバックライトを照射する。
【００３９】
制御部４は、所定のプログラムを実行することにより、操作パネル２の表示部１１の表示動作を制御する表示制御部５１として機能する。表示制御部５１は、後述する画像形成部６１により行われる印刷動作についての印刷条件など種々の情報が表示部１１に表示されるよう表示部１１を制御する。このような情報には、上述の操作画面２１を表示させるためのコントラスト調整ボタンも含まれる。また、表示制御部５１は、コントラスト調整の際に、画面２１，２２が表示されるよう表示部１１を制御するとともに、これら画面２１，２２において、リセットボタンを表示させたり、各画面において黒点で示された設定値を移動させたりする。
【００４０】
制御部４は、複合機１に電源投入後の初期状態や、リセットボタンが押下された場合などにデフォルト調整モードが設定され、コントラスト調整回路３のデフォルト調整回路が作動するようスイッチの切替を行う。また、制御部４は、コントラスト調整設定ボタンが押された場合などにユーザ調整モードが設定され、コントラスト調整回路３のユーザ調整回路が作動するようスイッチの切替を行う。
【００４１】
＜エンジン部＞
エンジン部５は、図示しないメインモータと、これに接続される画像形成部６１の各ローラ等とを有する。
【００４２】
メインモータは、直流ブラシレスモータで構成され、複合機１内に配された、給紙ローラ、搬送ローラ、感光ドラム、転写ローラ、定着器、排紙ローラ（いずれも図示せず）を含む各ローラに図示しないギアを介して駆動力を与える。
【００４３】
画像形成部６１は、用紙等のシート状記録媒体に対し印刷を行う部分であり、上述の感光ドラム、転写ローラ等で構成される。画像形成部６１は、他の実施形態では、電子写真方式に代えて、インクジェット方式など他の画像形成プロセスが採用されてもよい。
【００４４】
なお、複合機１は、他の入出力部として、スキャナユニット部、自動原稿給紙装置（いずれも図示せず）等がさらに搭載されている。
【００４５】
＜コントラスト調整作業＞
次に、図６に基づいて、複合機１でのコントラスト調整作業について説明する。
【００４６】
複合機１に電源が投入されると、各種パラメータが初期化されるとともに、画像形成部６１において定着器のヒータの加熱等を含む一連の初期動作が行われる。このような初期動作が終了すると、表示部には、印刷条件の入力等を受け付ける基本画面が表示される。このとき、デフォルト調整モードに設定され（Ｓ１）、コントラスト調整回路のスイッチＳＷ１は端子１に接続されている。
【００４７】
この基本画面上のコントラスト調整設定ボタンが押下されると（Ｓ２）、デフォルト調整モードからユーザ調整モードに切り替えられ、コントラスト調整回路３でスイッチＳＷ１が端子Ｔ２に切り替わるとともに、図２の画面２１が表示される。ここで、例えば選択ボタン３１が押下されると（Ｓ３）、コントラスト調整回路３のスイッチＳＷ２が端子Ｔ３に切り替わり、スイッチＳＷ３が開放された状態となる。なお、所定時間内にいずれの選択ボタンも押下されなかった場合は、基本画面に戻る（Ｓ３のＮｏ）。
【００４８】
また、このとき、図３の画面が表示され、ユーザは、ボリュームつまみ１３を回して、コントラスト調整を行うことができる（Ｓ４）。このとき、ボリュームつまみ１３の回転量に応じて、コントラスト調整回路３において、０〜５０Ωの範囲でＬＣＤ駆動電圧Ｖが設定され、文字視認可能領域で暗めなＶ２−１からＶ２ｍｉｎの電圧差Ｖａの範囲で、表示部１１に表示される画面のコントラストが変化する。また、このとき、ボリュームつまみ１３の回転量に応じて、図３の画面において黒丸で示す部分が左右にシフトする。
【００４９】
ユーザは、最適と思うコントラストになったときにボリュームつまみ１３を回すのを止めることで、最適なコントラストに設定することができる。このとき、例えば、図３に併せて表示される不図示のＯＫボタン等が押下されることにより、最適なコントラストに設定されるとともに、基本画面に戻るよう構成されてもよい。なお、いずれかの選択ボタンが押下されて所定時間内にボリュームつまみ１３の操作がされなかった場合は、基本画面に戻る（Ｓ４のＮｏ）。
【００５０】
なお、ユーザ調整モードで、リセットボタンが押下されると、デフォルト調整モードに設定される。
【００５１】
このような複合機１によれば、コントラスト調整回路のユーザ調整回路を介して、表示部に表示される文字等を、ユーザが視認可能な輝度範囲に限ってコントラスト調整を行うことができる。このため、全ての輝度範囲にわたり調整する場合に比べ、ユーザの負担が軽減され、最適なコントラストへの調整が楽に行える。
【００５２】
＜他の実施形態＞
ボリュームつまみで調整するのに代えて、表示部に表示される操作ボタンを操作することでコントラスト調整を行うものであってもよい。例えば、図２及び図３の画面に表示された、青みがかって表示される半円形状の部分に触れることで調整できるよう構成されてもよい。
【００５３】
本発明は、表示部を有し、コントラスト調整機能を有するものであれば、複合機のみでなく、プリンタ、複写機など他の画像形成装置にも適用でき、また、画像形成装置以外の電子機器にも適用できる。
【図面の簡単な説明】
【００５４】
【図１】本発明の一実施形態が採用された複合機を模式的に示す機能ブロック図。
【図２】ユーザ調整モードでコントラスト調整するため領域を選択するための操作画面。
【図３】図２で選択された領域でコントラスト調整するための操作画面。
【図４】ユーザ調整及びデフォルト調整のＬＣＤ駆動電圧を説明するための図。
【図５】コントラスト調整回路の回路図。
【図６】コントラスト調整作業を説明するフローチャート。
【符号の説明】
【００５５】
１  複合機（電子機器）
３  コントラスト調整回路（コントラスト調整部）
１１  表示部
１３  ボリュームつまみ（操作部）
３１  操作画面
３２  操作画面
４１  ユーザ調整回路（ユーザ調整部）
４２  デフォルト調整回路（デフォルト調整部）
５１  表示制御部
ＶＲ１  可変抵抗（第１可変抵抗）
ＶＲ２  可変抵抗（第２可変抵抗）
ａ，ｂ，ｃ  輝度範囲
【図１】
2010128088.tif 000003
【図２】
2010128088.tif 000004
【図３】
2010128088.tif 000005
【図４】
2010128088.tif 000006
【図５】
2010128088.tif 000007
【図６】
2010128088.tif 000008